(57)【要約】【課題】  戸を閉めたとき隙間を生じることがなく、風や塵埃の侵入を防止することを課題とする。【解決手段】  中空材の一面長手方向にスリット状の開口部４を有し、戸の枠部に取り付けられる中空筐体２と、この中空筐体に保持され接触対象面１１に接触可能な弾性材からなるシール部材３とを備え、このシール部材は、前記接触対象面に接触すべき接触部５と、この接触部から前記中空筐体の内方に延び該中空筐体の開口部４に出入り動可能に挿通される摺動部６と、この摺動部の内端にあって端部が中空筐体の開口部とは反対側の内面に当接し前記摺動部が突出する方向へ付勢するとともに該摺動部の摺動方向に屈伸可能な弾性変形部７とで構成されていることを特徴とする。【選択図】  図１
2005083131.tif 000002
【特許請求の範囲】
【請求項１】
中空材の一面長手方向にスリット状の開口部を有し、戸の枠部に取り付けられる中空筐体と、この中空筐体に保持され接触対象面に接触可能な弾性材からなるシール部材とを備え、このシール部材は、前記接触対象面に接触すべき接触部と、この接触部から前記中空筐体の内方に延び該中空筐体の開口部に出入り動可能に挿通される摺動部と、この摺動部の内端にあって端部が前記中空筐体の開口部とは反対側内面に当接し前記摺動部が突出する方向へ付勢するとともに該摺動部の摺動方向に屈伸可能な弾性変形部とで構成されていることを特徴とする戸の自動気密装置。
【請求項２】
前記戸が回転扉であり、前記中空筐体が前記回転扉の下枠下面に取り付けるようにされ、前記接触対象面が床面とされる請求項１記載の戸の自動気密装置。
【請求項３】
前記戸が引戸であり、前記中空筐体が前記引戸の側枠に取り付けるようにされ、前記接触対象面が建屋の戸当りとされる請求項１記載の戸の自動気密装置。
【請求項４】
前記戸が観音開らき構造の扉であり、前記中空筐体が一方の扉の召し合わせ部に取り付けるようにされ、前記接触対象面が他方の扉の召し合わせ部とされる請求項１記載の戸の自動気密装置。
【請求項５】
前記シール部材の外表面に短繊維が植毛されている請求項１記載の戸の自動気密装置。
【発明の詳細な説明】
【技術分野】
【０００１】
本発明は戸の自動気密装置に関する。
【背景技術】
【０００２】
近時、住宅の出入口や間仕切り用の戸として、一側をヒンジにより建屋側に回転自在に取り付けた回転扉（ドア）が多く用いられるようになっている。
【０００３】
このような回転扉は、例えば玄関扉の場合、玄関内のたたき（床面）と屋外との間に僅かな段差（沓摺）が設けられ、回転扉を閉めたとき回転扉の下端（下框）が前記段差部に位置して外部からの風雨や塵埃の侵入が遮断されるようになされており、またその下端の隙間をさらに気密に閉鎖しようとするには段差部にシール材を取り付けるか、あるいは回転扉の下端にシール材を取り付けて隙間を埋めるようにすることが試みられている。
【０００４】
しかし最近の建物では、つまずき防止や車椅子での出入りをしやすくするため、段差を設けないフラットな床面とする構造が多く採られるようになり、したがって上記のようなシール材を取り付けただけでは風や塵埃の侵入を防ぐことはできない。
【０００５】
そこで回転扉の下端に取り付けたシール材が自重により下降するようにし、隙間の広さに応じ下降して隙間を埋めるようにしたもの（特許文献１）を案出した。
【特許文献１】実開平６−３５５８５号公報
【発明の開示】
【発明が解決しようとする課題】
【０００６】
しかるに上記従来の技術では、シール材が円滑に下降しない場合があって必ずしもシール材が床面に密接する保証が得難く、接触むらが生じて隙間を皆無とすることができないという問題がある。
【０００７】
一方、上記隙間の問題は回転扉に限らず、引戸や観音開らきの場合においても発生する。すなわち引戸の場合は、閉めたとき建屋側の戸当りの歪み、引戸自体の歪み等により引戸の上下部で隙間の幅が異り、そのため通常のシール材を取り付けただけでは隙間を完全に埋めることができず、さりとて前述の特許文献１の技術はシール材が自重で下降する関係上、引戸には適用することができない。この点については観音開らきの扉に対しても同様なことが云える。
【０００８】
本発明は、戸の種類を問わず、戸を閉めた際に隙間を生じることがなく、風や塵埃の侵入を確実に防止することができる戸の自動気密装置を提供することを課題としてなされたものである。
【課題を解決するための手段】
【０００９】
上記課題を解決する手段として本発明は、中空材の一面長手方向にスリット状の開口部を有し、戸の枠部に取り付けられる中空筐体と、この中空筐体に保持され接触対象面に接触可能な弾性材からなるシール部材とを備え、このシール材は、前記接触対象面に接触すべき接触部と、この接触部から前記中空筐体の内方に延び該中空筐体の開口部に出入り動可能に挿通される摺動部と、この摺動部の内端にあって端部が前記中空筐体の開口部とは反対側内面に当接し前記摺動部が突出する方向へ付勢するとともに該摺動部の摺動方向に屈伸可能な弾性変形部とで構成したことを特徴とする。
【００１０】
こうしたことにより、戸を閉じたときシール部材の接触部が相手側となる接触対象面になじむように弾性変形部の弾性により突出して隙間をむらなく埋め、これにより隙間を皆無として風や塵埃の侵入を確実に防止することができる。
【００１１】
上記中空筐体は、戸が回転扉（ドア）の場合はその下端に、戸が引戸である場合にはその引手側の側端に、さらに戸が観音開らきの扉である場合には一方の扉の召し合わせ部（衝き合わせ部）に取り付けられる。
【００１２】
前記シール部材の外表面、特に前記摺動部の外面に短繊維を植毛すれば、シール材をゴム、合成ゴム、軟質合成樹脂で形成してもその剛性を増し、作動の円滑性を確保することができるとともに、接触部の接触対象面への接触時の気密性を一層良好になさしめることができるので好ましい。
【発明の効果】
【００１３】
以上説明したように本発明によれば、戸を閉めたときシール部材の接触部が相手方の接触対象面になじむように弾性変形部の弾性により突出して隙間をむらなく埋めるので、戸や建屋に多少の歪みがあっても隙間なく閉めることができ、隙間風や塵埃の侵入を確実に防止することができる。
【００１４】
特にシール部材の接触部は弾性変形部の弾性により強制的に突出習性が与えられているので、シール部材の摺動不良により隙間閉鎖不良を生じることがなく、確実なシールをなさしめることができる。
【発明を実施するための最良の形態】
【００１５】
以下、本発明を図面に示す実施の形態を参照して説明する。
【００１６】
図１は本発明による自動気密装置１の一実施形態の一部を破断して示す斜視図で、その基本構成部材は、中空筐体２と、この中空筐体２に保持されるシール部材３とからなっている。
【００１７】
前記中空筐体２は、アルミニウム、合成樹脂等により断面矩形状に形成された中空材からなり、その一面の長手方向にスリット状の開口部４が形成されている。
【００１８】
前記シール部材３は、天然または合成ゴム、軟質合成樹脂等の弾性材で形成され、回転扉の下端に取り付けた場合は接触対象面である床面に、引戸に取り付けた場合は同じく接触対象面である建屋側の戸当りに、観音扉に取り付けた場合は相手方の扉の召し合わせ部の接触対象面に密接すべき断面略円形の接触部５と、この接触部５から前記中空筐体２の内方に延び前記開口部５に摺動可能に挿通される摺動部６と、この摺動部６の内端に連設され内端が前記中空筐体２の開口部５とは反対側の内面に当接する弾性変形部７とからなっており、その弾性変形部７の弾性により前記摺動部６が中空筐体２外へ突出する方向に付勢されている。
【００１９】
前記弾性変形部７は、図２（Ａ）〜（Ｃ）に代表例を示しているように、断面Ｓ字形、Ｚ字形、Ｃ字形等、屈伸可能に形成されている。
【００２０】
図２（Ａ）は、弾性変形部７を断面Ｓ字状に形成した場合を示すもので、摺動部６に連設される弯曲部７ａの曲率が大きく、中空筐体２の内面に接する側の変曲部７ｂの曲率が小さくなるように形成されている。
【００２１】
図２（Ｂ）は断面Ｃ字状に形成した場合、図２（Ｃ）は断面Ｓ字状でも、摺動部６に連設される弯曲部７ｃの曲率が小さく、中空筐体２の内面に接する側の弯曲部７ｄの曲率が大きくなるように形成した場合を示している。
【００２２】
なおこの弾性変形部７の断面形状は、摺動部６の摺動時における摩擦抵抗等を勘案して適宜選択することができる。また接触部５は必ずしも膨大とせず、図２（Ｄ）に示すように摺動部６の下端を断面半円形としてこれを接触部５としてもよい。
【００２３】
前記シール部材３の外表面全面乃至は摺動部６には、静電植毛等により短繊維８が植毛されている。このように植毛を施すことによりシール部材３の構成材料を天然ゴム、合成ゴム、軟質合成樹脂等の腰の弱い材料で形成しても、所定の剛性を与え、摺動をスムーズに行なわせることができる。
【００２４】
なお、前記シール部材３の外表面全面乃至は摺動部６に短繊維８を植毛する代わりに、前記シール部材３等の外表面を塗装し薄膜を形成するようにしてもよい。この場合、シール部材３等の外表面を保護できるとともに、すべりやすくすることができる。
【００２５】
前記中空筐体２には、戸へ取り付けるための両面接着テープ９が取り付けられている。この両面接着テープ９は、取り付け対象とする戸、すなわち回転扉（ドア）、引戸、観音扉に応じ中空筐体２の所要の面に取り付けられる。なお中空筐体２を取り付けるための手段としては、両面接着テープ９に限らず、接着剤、ネジ止め等であってもよい。
【００２６】
図３は回転扉１０（ドア）の下端の枠部に自動気密装置１を取り付け、その接触部５が接触対象面（１１で総称）としての床面１１Ａに密接した状態を示しており、図４は引戸１２の引手１３側の枠部の端面に自動気密装置１を取り付け、その接触部５が接触対象面１１としての建屋側の戸当り１１Ｂに密接した状態を示している。さらに図５は観音開らきの扉１４，１５の一方の扉１４の召し合わせ部１４ａに自動気密装置１を取り付けて閉じた状態を示している。この場合は他方の扉１５の召し合わせ部１５ａが接触対象面１１となる。
【００２７】
いずれの場合も、閉じたときシール部材３の接触部５が接触対象面１１（床面１１Ａ、戸当り１１Ｂ、召し合わせ部１５ａ）に接触して弾性変形部７が撓んで摺動部６が中空筐体２の内方へ押し込まれ、弾性変形部７の弾性復元力により接触部５が接触対象面１１に密接して気密状態が保たれる。
【００２８】
したがって接触対象面１１（１１Ａ、１１Ｂ、１５ａ）に水平または垂直方向の若干の狂いがあっても、それに応じてシール部材３の弾性変形部７が追従して変形し、接触部５の全域が接触対象面１１に均等に接触して確実な気密状態を得ることができる。
【図面の簡単な説明】
【００２９】
【図１】本発明による戸の自動気密装置の一実施形態を示す一部を破断した斜視図。
【図２】（Ａ）〜（Ｄ）は、図１における自動気密装置におけるシール部材の形状例を示す断面図。
【図３】図１の自動気密装置を回転扉（ドア）の下端に取り付け、回転扉を閉めた状態を示す要部の断面図。
【図４】同、引戸の側端に取り付け、引戸を閉めた状態を示す要部の水平断面図。
【図５】同、観音扉に取り付け、観音扉を閉めた状態を示す要部の水平断面図。
【符号の説明】
【００３０】
１  自動気密装置
２  中空筐体
３  シール部材
４  開口部
５  接触部
６  摺動部
７  弾性変形部
８  短繊維
９  両面接着テープ
１０  回転扉（ドア）
１１（１１Ａ、１１Ｂ、１５ａ）  接触対象面
１２  引戸
１４，１５  観音扉
【図１】
2005083131.tif 000003
【図２】
2005083131.tif 000004
【図３】
2005083131.tif 000005
【図４】
2005083131.tif 000006
【図５】
2005083131.tif 000007